(57)【要約】【課題】カラオケ装置に搭載されている付加演奏機能をカラオケ店舗とカラオケ事業者との契約などに基づいて制御する。【解決手段】指定された楽曲のカラオケデータに基づいてカラオケ伴奏音楽を音響出力するとともに、カラオケ伴奏音楽の進行に同期する歌詞字幕を映像出力して楽曲演奏するカラオケ装置において、固有の契約情報を登録する手段と、各楽曲について、演奏時に動作可能な付加価値演奏機能と、各付加価値演奏機能の動作条件と契約情報との対応関係とを記述した楽曲別付加機能情報を記憶する手段と、利用者が指定した楽曲の楽曲別付加機能情報と固有の契約情報とに基づいて、当該楽曲演奏時に特定の付加価値演奏機能の動作を適宜に制限する付加機能制御手段とを備えたカラオケ装置における機能制限方式としている。【選択図】      図２
2004246238.tif 000002
【特許請求の範囲】
【請求項１】
指定された楽曲のカラオケデータに基づいてカラオケ伴奏音楽を音響出力するとともに、カラオケ伴奏音楽の進行に同期する歌詞字幕を映像出力して楽曲演奏するカラオケ装置において、
固有の契約情報を登録する手段と、
各楽曲について、演奏時に動作可能な付加価値演奏機能と、各付加価値演奏機能の動作条件と契約情報との対応関係とを記述した楽曲別付加機能情報を記憶する手段と、
利用者が指定した楽曲の楽曲別付加機能情報と固有の契約情報とに基づいて、当該楽曲演奏時に特定の付加価値演奏機能の動作を適宜に制限する付加機能制御手段と、
を備えたことを特徴とするカラオケ装置における機能制限方式。
【請求項２】
ある楽曲の楽曲別付加機能情報として、カラオケ伴奏音楽を演奏する楽器の音色の数と契約情報との対応関係が記載されている場合、付加機能制御手段は、固有の契約情報に基づいて所定の数の音色で当該楽曲を演奏することを特徴とする請求項１に記載のカラオケ装置における機能制限方式。
【請求項３】
ある楽曲の楽曲別付加機能情報として、カラオケ伴奏音楽を演奏する楽器の編成と契約情報との対応関係が記載されている場合、付加機能制御手段は、固有の契約情報に基づいて所定の楽器編成で当該楽曲を演奏することを特徴とする請求項１に記載のカラオケ装置における機能制限方式。
【請求項４】
ある楽曲の楽曲別付加機能情報として、肉声をサンプリングして得たバックコーラスの音響出力条件と契約情報との対応関係が記載されている場合、付加機能制御手段は、固有の契約情報に基づいて当該楽曲演奏時のバックコーラスを適宜に音響出力することを特徴とする請求項１に記載のカラオケ装置における機能制限方式。
【請求項５】
ある楽曲の楽曲別付加機能情報として、この楽曲専用に作成された専用動画映像の表示条件と契約情報との対応関係が記載されている場合、付加機能制御手段は、固有の契約情報に基づいて当該楽曲演奏時に歌詞字幕の背景映像として専用動画映像の表示／非表示を制御することを特徴とする請求項１に記載のカラオケ装置における機能制限方式。
【発明の詳細な説明】
【０００１】
【発明の属する技術分野】
本発明はカラオケ装置における機能制限方式に関し、具体的には、楽曲演奏に付加されて質の高い楽曲演奏状態にする各種付加価値演奏機能をカラオケ事業者とカラオケ装置を営利目的で使用する者との契約内容に基づいて制限するための方式に関する。
【０００２】
【従来の技術】
近年のカラオケ装置は、楽曲演奏とともに利用できる様々な付加価値演奏機能が搭載されている。例えば、肉声をサンプリングして得たバックコーラスをカラオケ伴奏音楽に付加する機能や、歌詞字幕用の背景映像として元歌歌手の出演映像や歌詞の内容に合わせた映像などの専用映像を表示する機能などを付加価値演奏機能としているものもある。なお、付加価値演奏機能の利用の有無に応じて、その利用料金が異なっていることは当然であり、楽曲の１番だけを演奏することを基本として、２番以降の演奏を付加価値演奏機能とし、利用者が投じた料金に応じて付加価値演奏機能の動作を制限するカラオケ装置が開示されている（特許文献１参照）。
【０００３】
【特許文献１】
特開平１１−３８９８３号公報
【０００４】
【発明が解決しようとする課題】
カラオケ事業者とカラオケ店舗とは、カラオケ装置の保守・点検や新曲の追加などに係わる契約を交わしており、カラオケ店舗はその契約内容に応じて所定の契約料をカラオケ事業者に支払っている。そしてこの契約料は、カラオケ装置に搭載されている付加価値演奏機能に応じて異なる場合もある。
【０００５】
カラオケ店舗では、客層によっては、全ての付加価値演奏機能が必要であるわけではない。そのため、必要最小限の付加機能を実装したカラオケ装置を設置した方が設備投資や契約料が少なくて済む。しかし、客の嗜好は移ろい易く、客が希望する付加価値演奏機能は随時変わる。絶え間なく変化する客の嗜好に対応するためにカラオケ装置自体を随時他の機種に交換していては却って多額の設備投資が必要となる。また、全ての付加価値演奏機能が搭載されたカラオケ装置を設置すれば、あらゆる客層にも対応できるが、ほとんど利用されない付加価値演奏機能に対して対価を支払う可能性もある。
【０００６】
一方、カラオケ事業者にとっても、カラオケ店舗ごとに機能の異なるカラオケ装置を提供していたのではカラオケ装置自体の製造コストが嵩み、カラオケ装置の販売による収益が望めない。カラオケ事業者側は、機種を絞り込み、できれば全ての付加演奏機能を搭載した高価なカラオケ装置をより多く供給することを望んでいる。
【０００７】
【課題を解決するための手段】
本発明者らは、上記課題に鑑み、全ての付加機能が利用可能なハードウエアを用意し、どの付加機能まで利用できるのかをカラオケ店舗とカラオケ事業者との契約などに基づいて制御できることが利用者・店舗・カラオケ事業者の全てにとってより望ましいと考え、本発明を創作した。そして、その基本となる発明は、
指定された楽曲のカラオケデータに基づいてカラオケ伴奏音楽を音響出力するとともに、カラオケ伴奏音楽の進行に同期する歌詞字幕を映像出力して楽曲演奏するカラオケ装置において、固有の契約情報を登録する手段と、各楽曲について、演奏時に動作可能な付加価値演奏機能と、各付加価値演奏機能の動作条件と契約情報との対応関係とを記述した楽曲別付加機能情報を記憶する手段と、利用者が指定した楽曲の楽曲別付加機能情報と固有の契約情報とに基づいて、当該楽曲演奏時に特定の付加価値演奏機能の動作を適宜に制限する付加機能制御手段とを備えたカラオケ装置における機能制限方式としている。
【０００８】
上記カラオケ装置における機能制限方式において、ある楽曲の楽曲別付加機能情報として、カラオケ伴奏音楽を演奏する楽器の音色の数と契約情報との対応関係が記載されている場合、付加機能制御手段は、固有の契約情報に基づいて所定の数の音色で当該楽曲を演奏することとしてもよい。
【０００９】
あるいは、ある楽曲の楽曲別付加機能情報として、カラオケ伴奏音楽を演奏する楽器の編成と契約情報との対応関係が記載されている場合、付加機能制御手段は、固有の契約情報に基づいて所定の楽器編成で当該楽曲を演奏することとしてもよい。
【００１０】
また、ある楽曲の楽曲別付加機能情報として、肉声をサンプリングして得たバックコーラスの音響出力条件と契約情報との対応関係が記載されている場合、付加機能制御手段は、固有の契約情報に基づいて当該楽曲演奏時のバックコーラスを適宜に音響出力することも可能である。
【００１１】
ある楽曲の楽曲別付加機能情報として、この楽曲専用に作成された専用動画映像の表示条件と契約情報との対応関係が記載されている場合、付加機能制御手段は、固有の契約情報に基づいて当該楽曲演奏時に歌詞字幕の背景映像として専用動画映像の表示／非表示を制御するカラオケ装置における機能制限方式としてもよい。
【００１２】
【発明の実施の形態】
＝＝＝カラオケ装置の構成と動作＝＝＝
図１は、この発明の一実施例に係る歌唱練習支援システムを含むカラオケ装置の機能ブロック図である。このカラオケ装置１は周知の通信カラオケシステムの演奏端末とほぼ同様の構成である。中央制御部１１は、各周辺構成部を制御してこのカラオケ装置１を統括し、ハードディスク装置１２には多数のカラオケ楽曲について、ＭＩＤＩデータを主体とした伴奏音楽データと、歌詞画像の生成起源となる歌詞描出データとを含むカラオケデータが蓄積されている。伴奏音楽データは、シンセサイザ１６に内蔵されている多数の音源のそれぞれを一つの楽器として、それぞれの楽器が発音すべき演奏音について、発音／消音タイミング、音高、音量などを指定している。また、肉声をサンプリングして得たＡＤＰＣＭ形式のバックコーラスの音声データを特定するための情報（音声データファイル名など）や発音タイミングもＭＩＤＩデータにおける制御データとして伴奏音楽データ中に記載されている。したがって、ハードディスク装置にはバックコーラスの音声データファイルも格納されている。
【００１３】
歌詞描出データは歌詞文字、歌詞文字列の表示／消去タイミング、表示した文字列において歌唱タイミングにある文字を色変えていくための指示情報などを含んでいる。さらにハードディスク装置１２には、所定形式の長時間分の動画データと、動画データの処理シーケンス（処理すべき動画データの格納場所と処理順番など）を規定した台本データも格納されている。そして、中央制御部１１は、各楽曲のカラオケデータと台本データとを楽曲番号によって識別し、これをカラオケデータベースとして管理している。なお、中央制御部１１は、通信制御部２３を介して所定の情報通信網に接続されているホスト装置と適時に通信し、新譜楽曲についてのカラオケデータや台本データなどを取り寄せ、カラオケデータベースの内容を随時更新している。
【００１４】
中央制御部１１は、カラオケ装置１本体に配設されている操作パネル１４やリモコン送信器１３から楽曲番号を含んだ演奏予約コマンドを操作制御部１５を介して受け付けると、その番号を内部のＲＡＭに格納して演奏処理の待ち行列で管理する。そして、待ち行列から楽曲番号を順次取り出し、該当のカラオケデータをハードディスク装置１２より読み出し、このカラオケデータ中の伴奏音楽データをシンセサイザ１６に転送して伴奏音楽を生成させる。また、バックコーラスについては、指定の音声データファイルを指定のタイミングでシンセサイザ１６に転送する。シンセサイザ１６は、ＡＤＰＣＭ形式の音声データをアナログの音声信号に復号するためのＤ／Ａコンバータを内蔵し、転送されてきた音声データファイルを復号して得た音声信号をＭＩＤＩデータを起源とする伴奏音楽の音声信号とともに出力する。
【００１５】
一方、歌詞描出データについては、伴奏音楽に同期して歌唱すべき箇所が色変わりする歌詞画像をビデオＲＡＭ２０に順次ビットマップ展開していく。また、台本データに基づいて所定の動画データを所定の順番で映像制御部２１に順次転送して歌詞画像の背景動画を復号させる。
【００１６】
ミキシングアンプ１７は伴奏音楽やそれに付随するバックコーラスと、マイクロホン１９に入力された歌声音声とを混合・増幅してスピーカ１８より音響出力する。映像制御部２１は、復号した動画映像に歌詞画像をスーパーインポーズ処理してディスプレイ２２に表示出力する。
【００１７】
＝＝＝付加価値演奏機能＝＝＝
カラオケ装置１は、楽曲演奏とともに動作して、より質の高い楽曲演奏とする付加価値演奏機能を備えている。本実施例では、付加価値演奏機能として、同時発音が可能な楽器の音色を６４種から１２８種まで可変制御して演奏する機能と、楽器の数や楽器の種類などの楽器編成を可変制御する機能と、ＡＤＰＣＭ形式で記録されたバックコーラスの音声データを楽曲演奏に添えて付加したり、その付加状態を制御したりする機能と、専用映像が用意されている楽曲については、その専用映像を背景映像として表示出力する機能とを備えている。そして、これら付加価値演奏機能は、カラオケ店舗とカラオケ事業者との契約内容に基づいてその利用が制限されるようになっている。なお付加価値演奏機能は、上記に示したものに限らず各種考えられる。
【００１８】
＝＝＝契約情報＝＝＝＝
カラオケ装置１には契約内容を特定するための契約情報が管理されている。具体的には、カラオケ事業者とカラオケ店舗との契約内容をランク分けし、カラオケ事業者は、カラオケ装置１を店舗に設置する際、そのカラオケ装置１自身に関する契約内容に応じたランクを契約情報として、あらかじめハードディスク装置１２などの所定の記憶資源に登録しておく。またホスト装置には、通信対象となるカラオケ装置ごとにその契約情報を管理しており、あるカラオケ装置に関し、契約情報が変更されると、そのカラオケ装置と通信し、登録されている契約情報を新規の契約情報で上書きする。
【００１９】
＝＝＝付加価値演奏機能の動作条件＝＝＝
カラオケ装置１に搭載されている各種付加価値演奏機能は、それぞれ、カラオケ装置１に登録されている契約情報に基づいて動作の制限内容が決定される。また、各楽曲のそれぞれについて、利用可能な付加価値演奏機能が異なり、カラオケ装置１のハードディスク装置１２には、自身が搭載する各種付加価値演奏機能についての能動化の条件を規定した情報（楽曲別付加機能情報）が登録されている。図２にこの楽曲別付加機能情報の概略を示した。この例では、楽曲番号ごとに、演奏時に動作可能な付加価値演奏機能が記載されており、さらに、その各付加価値演奏機能における詳細な動作内容に所定の契約情報が対応付けされている。なお、契約情報は４段階のランクＡ，Ｂ，Ｃ，Ｄが規定されている。また、ある楽曲について、新規に専用映像が作成されたりするなど、楽曲別付加機能情報も随時更新することができる。そして、ホスト装置にて最新の楽曲別付加機能情報を管理しておき、適時にカラオケ装置１に配信するようにすればよい。もちろん、カラオケ装置の機種によっては搭載されている付加価値演奏機能が異なる場合もある。このような場合には、ホスト装置がカラオケ装置ごとの楽曲別付加機能情報を管理するようにすればよい。
【００２０】
＝＝＝付加価値演奏機能の動作＝＝＝
ここで、カラオケ装置１にはランクＢが固有の契約情報として登録されているものとし、利用者が図２に示した楽曲別付加機能情報に対応する楽曲をリクエストしたものとして、本実施例の付加価値演奏機能の動作を説明する。
【００２１】
中央制御部１１は、この楽曲のカラオケデータを処理する際、該当の楽曲別付加機能情報と、カラオケ装置１に固有の契約情報とをハードディスク装置１２より取り出す。そして、固有の契約情報がＢであることから、この楽曲演奏時の楽器編成に弦楽セクションを加え、同時発音数を９６とし、２コーラス目まではバックコーラスを付加し、台本データに従った背景映像に代えて専用映像を採用するように設定する。すなわち、弦楽セクションに相当するパートのＭＩＤＩデータをシンセサイザ１６に転送し、シンセサイザ１６を制御して同時発音数を９６に設定し、別途楽曲番号に対応付けされている専用映像の動画ファイルを映像制御部２１に転送し、バックコーラスの音声データファイルをハードディスク装置１２より読み出すとともに２コーラス目までは伴奏音楽データに指定されたタイミングで音声データファイルをシンセサイザ１６に転送する。それによって、弦楽セクションが付加された伴奏音楽が最高９６音まで同時発音数で音響出力されるとともに、２コーラス目の演奏が終了するまでは指定のタイミングでバックコーラスが伴奏音楽に付加される。そして、専用の動画映像が歌詞字幕の背景映像として表示出力される。
【００２２】
【発明の効果】
本発明のカラオケ装置における機能制限方式によれば、カラオケ装置に搭載されている付加演奏機能をカラオケ店舗とカラオケ事業者との契約などに基づいて制御することができる。したがって、搭載すべき付加演奏機能に応じてカラオケ装置の機種を揃える必要がない。そのため、カラオケ店舗ではカラオケ装置自体を変更することなく客層や客の嗜好の変化に柔軟に対応することができる。カラオケ事業者にとっては、カラオケ装置の品揃えを必要最小限にすることができ、カラオケ装置の製造コストを削減することができる。
【図面の簡単な説明】
【図１】本発明の機能制限方式を搭載したカラオケ装置の機能ブロック図である。
【図２】上記機能制限方式が処理対象としてる楽曲別付加機能情報の概略図である。
【符号の説明】
１  カラオケ装置
１１  中央制御部
１２  ハードディスク装置
１６  シンセサイザ
２１  映像制御部
【図１】
2004246238.tif 000003
【図２】
2004246238.tif 000004